(57)【特許請求の範囲】
【請求項１】
受信信号から、複数のデバイスのうちの第１のデバイスに関係する第１のサービスデータユニット（ＳＤＵ）を取得することと、
前記第１のＳＤＵに少なくとも部分的に基づいて第１の上位レイヤに関係する第１のプロトコルデータユニット（ＰＤＵ）を生成することと、
前記第１のＳＤＵ中のシーケンス番号にかかわらず、前記第１のＰＤＵを前記第１の上位レイヤに配信することと、
前記第１のＳＤＵの後に、前記複数のデバイスのうちの第２のデバイスに関係する、前記第１のＳＤＵ中の前記シーケンス番号よりも小さいシーケンス番号を含む第２のＳＤＵを受信することと、
前記第１のＰＤＵを前記第１の上位レイヤに前記配信することの後に、第２のＰＤＵ中で前記第２のＳＤＵを前記第１の上位レイヤに配信することと、
前記第１の上位レイヤに配信された前記第１のＰＤＵ及び前記第２のＰＤＵを並び替えることと、
を備える方法。
【請求項２】
前記第１のＳＤＵの再送信を可能にするために前記第１のＳＤＵを受信バッファに記憶することをさらに備える、請求項１に記載の方法。
【請求項３】
前記第１の上位レイヤへの前記第１のＳＤＵの正常な配信を指定するインジケータを前記第１のＳＤＵ中で初期化することをさらに備える、請求項２に記載の方法。
【請求項４】
前記第１のＳＤＵを前記第１のＰＤＵ中で前記第１の上位レイヤに配信すべきかどうかを判断するために、ＳＤＵ並べ替えにおいて前記インジケータを使用することをさらに備える、請求項３に記載の方法。
【請求項５】
前記第１の上位レイヤにおいて並び替えられた第１及び第２のＰＤＵに少なくとも部分的に基づいて第１のパケットを生成することと、
前記第１のパケットを第２の上位レイヤに配信することと
をさらに備える、請求項１に記載の方法。
【請求項６】
前記第１のＰＤＵよりも小さいシーケンス番号を有する第３のＰＤＵに少なくとも部分的に基づいて第２のパケットを生成することと、
前記第１のパケットを前記第２の上位レイヤに前記配信することの後に、前記第２のパケットを前記第２の上位レイヤに配信することと、
をさらに備える請求項５に記載の方法。
【請求項７】
前記第１のデバイスに関係するパケットに対応する第３のＰＤＵが受信されるまで、前記第１及び第２のＰＤＵを並べ替えバッファに記憶すること、をさらに備える請求項１に記載の方法。
【請求項８】
前記第１のＳＤＵは無線リンク制御レイヤにおいて抽出され、前記第１の上位レイヤはパケットデータコンバージェンスプロトコルレイヤである、請求項１に記載の方法。
【請求項９】
受信信号から、複数のデバイスのうちの第１のデバイスに関係する第１のサービスデータユニット（ＳＤＵ）を受信し、
前記第１のＳＤＵに少なくとも部分的に基づいて第１の上位レイヤのための第１のプロトコルデータユニット（ＰＤＵ）を作成し、
前記第１のＳＤＵ中のシーケンス番号にかかわらず、前記第１のＰＤＵを前記第１の上位レイヤに通信し、
前記第１のＳＤＵの後に、前記複数のデバイスのうちの第２のデバイスに関係する、前記第１のＳＤＵ中の前記シーケンス番号よりも小さいシーケンス番号を含む第２のＳＤＵを受信し、
前記第１のＰＤＵを前記第１の上位レイヤに前記配信することの後に、第２のＰＤＵ中で前記第２のＳＤＵを前記第１の上位レイヤに通信し、
前記第１の上位レイヤに通信された前記第１のＰＤＵ及び前記第２のＰＤＵを並び替える、少なくとも１つのプロセッサと、
前記少なくとも１つのプロセッサに結合されたメモリと、
を備えるワイヤレス通信装置。
【請求項１０】
前記少なくとも１つのプロセッサは、さらに、前記第１のＳＤＵの再送信を可能にするために前記第１のＳＤＵを受信バッファに記憶する、請求項９に記載のワイヤレス通信装置。
【請求項１１】
前記少なくとも１つのプロセッサは、さらに、前記第１のＳＤＵが前記第１の上位レイヤに正常に通信されたかどうかを指定するインジケータを前記第１のＳＤＵ中に設定する、請求項１０に記載のワイヤレス通信装置。
【請求項１２】
前記少なくとも１つのプロセッサは、さらに、
前記第１の上位レイヤにおいて並び替えられた第１及び第２のＰＤＵに少なくとも部分的に基づいて第１のパケットを作成し、
前記第１のパケットを第２の上位レイヤに通信する、
請求項９に記載のワイヤレス通信装置。
【請求項１３】
前記少なくとも１つのプロセッサは、さらに、
前記第１のＰＤＵよりも小さいシーケンス番号を有する第３のＰＤＵに少なくとも部分的に基づいて第２のパケットを作成し、
前記第１のパケットを前記第２の上位レイヤに通信した後に、前記第３のパケットを前記第２の上位レイヤに通信する、
請求項１２に記載のワイヤレス通信装置。
【請求項１４】
前記少なくとも１つのプロセッサは、さらに、前記第１のデバイスに関係するパケットに対応する第３のＰＤＵが受信されるまで前記第１及び第２のＰＤＵを並べ替えバッファに記憶する、請求項９に記載のワイヤレス通信装置。
【請求項１５】
無線通信レイヤにおいて、複数のデバイスのうちの第１のデバイスに関係する第１のサービスデータユニット（ＳＤＵ）を受信する受信手段と、
前記ＳＤＵに少なくとも部分的に基づいて第１の上位レイヤのための第１のプロトコルデータユニット（ＰＤＵ）を生成するＰＤＵ生成手段と、
前記第１のＳＤＵ中のシーケンス番号にかかわらず、前記第１のＰＤＵを前記第１の上位レイヤに配信する第１の配信手段と、
を備え、
前記受信手段は、その後、前記複数のデバイスのうちの第２のデバイスに関係する、前記第１のＳＤＵ中の前記シーケンス番号よりも小さいシーケンス番号を含む第２のＳＤＵを受信し、
前記第１の配信手段は、その後、前記第２のＳＤＵを備える第２のＰＤＵを前記第１の上位レイヤに配信し、
さらに、前記第１の上位レイヤに配信された前記第１のＰＤＵ及び前記第２のＰＤＵを並び替える手段を備える装置。
【請求項１６】
前記第１のＳＤＵの再送信を可能にするために前記第１のＳＤＵを受信バッファに記憶する手段をさらに備える請求項１５に記載の装置。
【請求項１７】
前記第１の上位レイヤへの前記ＰＤＵの配信に関係するステータスを前記第１のＳＤＵ中で示す手段をさらに備える請求項１６に記載の装置。
【請求項１８】
前記第１の上位レイヤにおいて並び替えられた第１及び第２のＰＤＵに少なくとも部分的に基づいて第１のパケットを生成するパケット生成手段と、
前記第１のパケットを第２の上位レイヤに配信する第２の配信手段と、
をさらに備える請求項１５に記載の装置。
【請求項１９】
前記パケット生成手段は、前記第１のＰＤＵよりも小さいシーケンス番号を有する第３のＰＤＵに少なくとも部分的に基づいて第２のパケットを生成し、
前記第２の配信する手段は、前記第１のパケットを前記第２の上位レイヤに配信した後に前記第２のパケットを前記第２の上位レイヤに配信する、
請求項１８に記載の装置。
【請求項２０】
前記第１のデバイスに関係するパケットに対応する第３のＰＤＵが受信されるまで前記第１及び第２のＰＤＵを並べ替えバッファに記憶する手段をさらに備える、請求項１５に記載の装置。
【請求項２１】
少なくとも１つのコンピュータに、複数のデバイスのうちの第１のデバイスに関係する第１のサービスデータユニット（ＳＤＵ）を受信させるコードと、
前記少なくとも１つのコンピュータに、前記第１のＳＤＵに少なくとも部分的に基づいて第１の上位レイヤのための第１のプロトコルデータユニット（ＰＤＵ）を作成させるコードと、
前記少なくとも１つのコンピュータに、前記第１のＳＤＵ中のシーケンス番号にかかわらず、前記第１のＰＤＵを前記第１の上位レイヤに通信させるコードと、
前記少なくとも１つのコンピュータに、前記第１のＳＤＵを受信した後に、前記複数のデバイスのうちの第２のデバイスに関係する、前記第１のＳＤＵ中の前記シーケンス番号よりも小さいシーケンス番号を含む第２のＳＤＵを受信させるコードと、
前記少なくとも１つのコンピュータに、前記第１のＰＤＵを前記第１の上位レイヤに通信した後に、第２のＰＤＵ中で前記第２のＳＤＵを前記第１の上位レイヤに通信させるコードと、
前記少なくとも１つのコンピュータに、前記第１の上位レイヤに通信された前記第１のＰＤＵ及び前記第２のＰＤＵを並び替えさせるコードと、
を備えるコンピュータプログラム。
【請求項２２】
さらに、前記少なくとも１つのコンピュータに、前記第１のＳＤＵの再送信を可能にするために前記第１のＳＤＵを受信バッファ中に記憶させるコードを備える請求項２１に記載のコンピュータプログラム。
【請求項２３】
さらに、前記少なくとも１つのコンピュータに、前記第１のＳＤＵが前記第１の上位レイヤに正常に通信されたかどうかを指定するインジケータを前記第１のＳＤＵ中に設定させるコードを備える請求項２２に記載のコンピュータプログラム。
【請求項２４】
さらに、
前記少なくとも１つのコンピュータに、前記第１の上位レイヤにおいて並び替えられた第１及び第２のＰＤＵに少なくとも部分的に基づいて第１のパケットを作成させるコードと、
前記少なくとも１つのコンピュータに、前記第１のパケットを第２の上位レイヤに通信させるコードと、
を備える請求項２１に記載のコンピュータプログラム。
【請求項２５】
さらに、
前記少なくとも１つのコンピュータに、前記第１のＰＤＵよりも小さいシーケンス番号を有する第３のＰＤＵに少なくとも部分的に基づいて第２のパケットを作成させるコードと、
前記少なくとも１つのコンピュータに、前記第１のパケットを前記第２の上位レイヤに通信した後に、前記第２のパケットを前記第２の上位レイヤに通信させるコードと、
を備える請求項２４に記載のコンピュータプログラム。
【請求項２６】
さらに、前記少なくとも１つのコンピュータに、前記第１のデバイスに関係するパケットに対応する第３のＰＤＵが受信されるまで前記第１及び第２のＰＤＵを並べ替えバッファに記憶させるコードをさらに備える請求項２１に記載のコンピュータプログラム。
【請求項２７】
無線通信レイヤにおいて複数のデバイスのうちの第１のデバイスに関係する第１のサービスデータユニット（ＳＤＵ）を取得する受信構成要素と、
前記第１のＳＤＵに少なくとも部分的に基づいて第１の上位レイヤのための第１のプロトコルデータユニット（ＰＤＵ）を作成するＰＤＵ生成構成要素と、
前記第１のＳＤＵ中のシーケンス番号にかかわらず、前記第１のＰＤＵを前記第１の上位レイヤに通信する第１の配信構成要素と、
を備え、
前記受信構成要素は、その後、前記複数のデバイスのうちの第２のデバイスに関係する、前記第１のＳＤＵ中の前記シーケンス番号よりも小さいシーケンス番号を含む第２のＳＤＵを取得し、
前記第１の配信構成要素は、その後、前記第２のＳＤＵを備える第２のＰＤＵを前記第１の上位レイヤに通信し、
さらに、前記第１の上位レイヤに配信された前記第１のＰＤＵ及び前記第２のＰＤＵを並び替える並び替え構成要素を備える装置。
【請求項２８】
前記第１のＳＤＵの再送信を可能にするために前記第１のＳＤＵを記憶するバッファリング構成要素をさらに備える、請求項２７に記載の装置。
【請求項２９】
前記ＰＤＵを前記第１の上位レイヤに通信する前記配信構成要素に関係するステータスを前記第１のＳＤＵ中に指定する配信指示構成要素をさらに備える、請求項２８に記載の装置。
【請求項３０】
前記第１の上位レイヤにおいて並び替えられた第１及び第２のＰＤＵに少なくとも部分的に基づいて第１のパケットを作成するパケット生成構成要素と、
前記第１のパケットを第２の上位レイヤに通信する、前記第１の上位レイヤにある第２の配信構成要素と、
をさらに備える請求項２７に記載の装置。
【請求項３１】
前記パケット生成構成要素は、前記第１のＰＤＵよりも小さいシーケンス番号を有する第３のＰＤＵに少なくとも部分的に基づいて第２のパケットを作成し、
前記第２の配信構成要素は、前記第１のパケットを前記第２の上位レイヤに配信した後に前記第２のパケットを前記第２の上位レイヤに通信する、
請求項３０に記載の装置。
【請求項３２】
前記第１のデバイスに関係するパケットに対応する第３のＰＤＵが受信されるまで前記第１及び第２のＰＤＵを記憶する並べ替えバッファ構成要素をさらに備える、請求項２７に記載の装置。
【発明の詳細な説明】
【優先権の主張】
【０００１】
米国特許法第１１９条に基づく優先権の主張
本特許出願は、本出願の譲受人に譲渡され、参照により明確に本明細書に組み込まれる、２００９年４月２７日に出願された「A METHOD AND APPARATUS FOR RELAYS IN A WIRELESS COMMUNICATION SYSTEM」と題する仮出願第６１／１７３，０７１号の優先権を主張する。
【技術分野】
【０００２】
以下の説明は、一般にワイヤレス通信に関し、より詳細には、複数のアクセスポイントの間でデータパケットをルーティングすることに関する。
【背景技術】
【０００３】
ワイヤレス通信システムは、たとえばボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどを含み得る。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）などの仕様、および／またはＥｖｏｌｕｔｉｏｎ  Ｄａｔａ  Ｏｐｔｉｍｉｚｅｄ（ＥＶ−ＤＯ）、その１つまたは複数のリビジョンなどのマルチキャリアワイヤレス仕様に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数のアクセスポイント（たとえば、基地局）と通信し得る。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントの間の通信は、単入力単出力（ＳＩＳＯ）システム、多入力単出力（ＭＩＳＯ）システム、多入力多出力（ＭＩＭＯ）システムなどを介して確立され得る。しかしながら、アクセスポイントは、カバレージのエッジの近くのモバイルデバイスおよび／または高トラフィックのエリア中のデバイスがアクセスポイントから劣化した通信品質を受けるように、地理的カバレージエリアならびにリソースが制限されることがある。
【０００５】
モバイルデバイスとアクセスポイントとの間の通信を可能にすることによってネットワーク容量およびカバレージエリアを拡張するために、リレーノードを与えることができる。たとえば、リレーノードは、いくつかの他のリレーノードへのアクセスを提供することができるドナーアクセスポイントとのバックホールリンクを確立することができ、リレーノードは、１つまたは複数のモバイルデバイスあるいはさらなるリレーノードとのアクセスリンクを確立することができる。しかしながら、この点について、リレーノードは、いくつかのモバイルデバイスおよび／または他のダウンストリームリレーノードとのいくつかの無線ベアラをサポートすることができるが、ドナーアクセスポイントと確立され得る無線ベアラの数が制限される。同様に、ダウンストリームリレーノードは、リレーノードと確立され得る無線ベアラの数が制限され得る。したがって、様々なデバイスに関係するパケットおよび／またはそれに関係するベアラは、単一のベアラを介してアップストリームリレーノードまたはドナーアクセスポイントに送信され得る。
【発明の概要】
【０００６】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
１つまたは複数の態様およびその対応する開示に従って、無線通信において、データが通信され、ばらばらの順序で処理されることを可能にすることに関して、様々な態様について説明する。一例では、無線通信レイヤ（たとえば、無線リンク制御レイヤ）からのサービスデータユニット（ＳＤＵ）は、ドナーアクセスポイントまたは他のアップストリームアクセスポイントからリレーノードに送信され得る。リレーノードにある無線通信レイヤ受信機は、受信時に、順序にかかわらず、ＳＤＵを（たとえば、１つまたは複数のプロトコルデータユニット（ＰＤＵ）として）上位通信レイヤに通信することができる。これにより、上位通信レイヤ（たとえば、パケットデータコンバージェンスプロトコル（ＰＤＣＰ）レイヤ）はＰＤＵの並べ替えを処理することが可能になる。したがって、無線通信レイヤは、シーケンス中の次のＰＤＵを待つことなしに、ＰＤＵを上位通信レイヤに与えることができる。この点について、デバイスに関係する通信はリレーノードにおいて処理され得るが、別のデバイスのための通信は遅延する（たとえば、ドナーアクセスポイントまたは他のアップストリームアクセスポイントからは受信されなかった）。
【０００８】
関係する態様によれば、受信信号からＳＤＵを取得することと、該ＳＤＵに少なくとも部分的に基づいて上位通信レイヤに関係するＰＤＵを生成することとを含む方法が提供される。本方法は、該ＳＤＵ中のシーケンス番号にかかわらず、該ＰＤＵを上位通信レイヤに配信することをさらに備える。
【０００９】
別の態様は、ワイヤレス通信装置に関する。本ワイヤレス通信装置は、受信信号に関係するＳＤＵを受信することと、該ＳＤＵに少なくとも部分的に基づいて上位通信レイヤのためのＰＤＵを作成することとを行うように構成された少なくとも１つのプロセッサを含むことができる。該少なくとも１つのプロセッサは、該ＳＤＵ中のシーケンス番号にかかわらず、該ＰＤＵを上位通信レイヤに通信するようにさらに構成される。本ワイヤレス通信装置はまた、該少なくとも１つのプロセッサに結合されたメモリを備える。
【００１０】
さらに別の態様は装置に関係する。本装置は、無線通信レイヤにおいてＳＤＵを受信するための手段と、該ＳＤＵに少なくとも部分的に基づいて上位通信レイヤのためのＰＤＵを生成するための手段とを含む。本装置はまた、該ＳＤＵ中のシーケンス番号にかかわらず、該ＰＤＵを該上位通信レイヤに配信するための手段を含む。
【００１１】
さらに別の態様は、少なくとも１つのコンピュータに、受信信号に関係するＳＤＵを受信させるためのコードと、少なくとも１つのコンピュータに、該ＳＤＵに少なくとも部分的に基づいて上位通信レイヤのためのＰＤＵを作成させるためのコードとを含むコンピュータ可読媒体を有するコンピュータプログラム製品に関する。該コンピュータ可読媒体はまた、少なくとも１つのコンピュータに、該ＳＤＵ中のシーケンス番号にかかわらず、該ＰＤＵを上位通信レイヤに通信させるためのコードを備える。
【００１２】
さらに、追加の態様は、無線通信レイヤにおいてＳＤＵを取得する受信構成要素と、該ＳＤＵに少なくとも部分的に基づいて上位通信レイヤのためのＰＤＵを作成するＰＤＵ生成構成要素とを含むに装置に関する。本装置は、該ＳＤＵ中のシーケンス番号にかかわらず、該ＰＤＵを上位通信レイヤに通信する配信構成要素をさらに含む。
【００１３】
上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【図面の簡単な説明】
【００１４】
【図１】ワイヤレスネットワークのためのリレーを提供することを可能にする例示的なワイヤレス通信システムの図。
【図２】複数の通信レイヤにわたってデータを通信することを可能にする例示的なワイヤレス通信システムの図。
【図３】関連するシーケンス番号を顧慮せずに、サービスデータユニット（ＳＤＵ）を通信することを可能にする通信レイヤ構成要素の図。
【図４】ワイヤレスネットワークへのアクセスを与えるためにインターネットプロトコル（ＩＰ）リレーを利用する例示的なワイヤレス通信システムの図。
【図５】順序がばらばらのＳＤＵを上位通信レイヤに配信するための例示的な方法の図。
【図６】受信バッファ中の１つまたは複数のＳＤＵの配信ステータスを示す例示的な方法の図。
【図７】上位通信レイヤにおいて、受信されたプロトコルデータユニット（ＰＤＵ）を並べ替えバッファに記憶する例示的な方法の図。
【図８】本明細書に記載する様々な態様によるワイヤレス通信システムの図。
【図９】本明細書に記載する様々なシステムおよび方法とともに使用され得る例示的なワイヤレスネットワーク環境の図。
【図１０】関連するシーケンス番号を顧慮せずに、ＳＤＵを上位通信レイヤに通信する例示的なシステムの図。
【図１１】ＳＤＵを並べ替えることを処理することができる、順が狂ったＳＤＵを上位通信レイヤに通信する例示的なシステムの図。
【発明を実施するための形態】
【００１５】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。
【００１６】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方を構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散システム、および／または他のシステムを用いるインターネットなどのネットワーク全体の中の別の構成要素と信号を介して対話する１つの構成要素からのデータなど、１つまたは複数のデータパケットを有する信号によるなど、ローカルプロセスおよび／またはリモートプロセスを介して通信し得る。
【００１７】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００１８】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００１９】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ  などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、追加として、不対無許可スペクトル、８０２．ｘｘワイヤレスＬＡＮ、ＢＬＵＥＴＯＯＴＨ（登録商標）、および任意の他の短距離または長距離ワイヤレス通信技法をしばしば使用するピアツーピア（たとえば、モバイル間の）アドホックネットワークシステムを含み得る。
【００２０】
様々な態様または特徴は、いくつかのデバイス、構成要素、モジュールなどを含むことができるシステムに関して提示される。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００２１】
図１を参照すると、ワイヤレスネットワークにおいてリレー機能を提供することを可能にするワイヤレス通信システム１００が示されている。システム１００は、リレーｅＮＢ１０４などの１つまたは複数のリレーｅＮＢにコアネットワーク１０６へのアクセスを与えるドナーｅＮＢ１０２を含む。同様に、リレーｅＮＢ１０４は、ドナーｅＮＢ１０２を介して、リレーｅＮＢ１０８などの１つまたは複数の異種リレーｅＮＢまたはＵＥ１１０などのＵＥにコアネットワーク１０６へのアクセスを与えることができる。クラスタｅＮＢと呼ばれることもあるドナーｅＮＢ１０２は、ＬＴＥまたは他の技術バックホールリンクとすることができるワイヤードまたはワイヤレスバックホールリンクを介してコアネットワーク１０６と通信することができる。一例では、コアネットワーク１０６は、３ＧＰＰ  ＬＴＥまたは同様の技術ネットワークとすることができる。
【００２２】
ドナーｅＮＢ１０２は、さらに、同じくワイヤードまたはワイヤレス、ＬＴＥまたは他の技術とすることができるリレーｅＮＢ１０４に対するアクセスリンクを提供することができ、リレーｅＮＢ１０４は、ドナーｅＮＢ１０２のアクセスリンクを介してバックホールリンクを使用してドナーｅＮＢ１０２と通信することができる。リレーｅＮＢ１０４は、同様に、ワイヤードまたはワイヤレスのＬＴＥまたは他の技術リンクとすることができるリレーｅＮＢ１０８および／またはＵＥ１１０に対するアクセスリンクを提供することができる。一例では、ドナーｅＮＢ１０２は、ＬＴＥアクセスリンクを提供することができ、リレーｅＮＢ１０４は、ＬＴＥバックホールを使用してＬＴＥアクセスリンクに接続することができ、リレーｅＮＢ１０４は、リレーｅＮＢ１０８および／またはＵＥ１１０へのＬＴＥアクセスリンクを提供することができる。ドナーｅＮＢ１０２は、異種バックホールリンク技術を介してコアネットワーク１０６に接続することができる。リレーｅＮＢ１０８および／またはＵＥ１１０は、説明したように、コアネットワーク１０６へのアクセスを受信するためにＬＴＥアクセスリンクを使用してリレーｅＮＢ１０４に接続することができる。本明細書では、ドナーｅＮＢと接続されたリレーｅＮＢとを集合的にクラスタと呼ぶことがある。
【００２３】
一例によれば、リレーｅＮＢ１０４は、従来のＬＴＥ構成におけるＵＥのように、リンクレイヤ（たとえば、媒体アクセス制御（ＭＡＣ）レイヤ）、トランスポートレイヤ、アプリケーションレイヤなどにおいてドナーｅＮＢ１０２に接続することができる。この点について、ドナーｅＮＢ１０２は、リレーｅＮＢ１０４をサポートするために、リンクレイヤ、トランスポートレイヤ、アプリケーションレイヤなどにおいて変更を必要としない従来のＬＴＥ  ｅＮＢ、または関係するインターフェース（たとえば、Ｅ−ＵＴＲＡ−Ｕｕなどのユーザツーユーザ（Ｕｕ）、ＥＵＴＲＡ−Ｕｎなどのネットワークツーユーザ（Ｕｎ）、など）として働くことができる。さらに、リレーｅＮＢ１０４は、ＵＥ１１０が、たとえば、リンクレイヤ、トランスポートレイヤ、アプリケーションレイヤなどにおいてリレーｅＮＢ１０４に接続するために、変更が必要とされないように、リンクレイヤ、トランスポートレイヤ、アプリケーションレイヤなどにおいてＵＥ１１０にはＬＴＥ構成における従来のｅＮＢのように見え得る。さらに、リレーｅＮＢ１０４は、アクセスとバックホールリンクとの間のリソース分割、干渉管理、クラスタのアイドルモードセル選択などのプロシージャを構成することができる。一例では、リレーｅＮＢ１０４は追加のドナーｅＮＢに接続することができることを諒解されたい。
【００２４】
したがって、たとえば、リレーｅＮＢ１０４は、コアネットワーク１０６中の１つまたは複数の構成要素（モビリティ管理エンティティ（ＭＭＥ）、サービングゲートウェイ（ＳＧＷ）、パケットデータネットワーク（ＰＤＮ）ゲートウェイ（ＰＧＷ）など）へのアクセスを受信するために、ドナーｅＮＢ１０２との接続を確立することができる。一例では、リレーｅＮＢ１０４は、コアネットワーク１０６中のＰＧＷ／ＳＧＷと通信するために、そのＰＧＷ／ＳＧＷから（たとえば、ドナーｅＮＢ１０２を介して）インターネットプロトコル（ＩＰ）アドレスを取得することができる。さらに、ＵＥ１１０は、コアネットワーク１０６中の１つまたは複数の同様の構成要素へのアクセスを受信するために、リレーｅＮＢ１０４との接続を確立することができる。この点について、たとえば、ＵＥ１１０は、コアネットワーク１０６に与えるためのＩＰパケットをリレーｅＮＢ１０４に通信することができる。リレーｅＮＢ１０４は、ＩＰパケットを取得し、追加のＩＰヘッダをリレーｅＮＢ１０４に関係するパケットに関連付け、そのパケットをドナーｅＮＢ１０２に与えることができる。したがって、ドナーｅＮＢ１０２は、（たとえば、別のヘッダを追加し、コアネットワーク１０６に送信することによって）そのパケットをリレーｅＮＢ１０４に関係するコアネットワーク１０６の構成要素にルーティングすることができる。
【００２５】
コアネットワーク１０６の構成要素は、たとえば、様々なＩＰヘッダに従ってコアネットワーク１０６内でパケットをルーティングすることができる。さらに、たとえば、コアネットワーク１０６は、リレーｅＮＢ１０４を介してパケットをＵＥ１１０にルーティングすることに関係するＩＰヘッダを含むように、ＵＥ１１０に与えるためのパケットを構成することができる。一例では、コアネットワーク１０６は、パケットとともにＵＥ１１０に関係するＩＰヘッダ、ならびにリレーｅＮＢ１０４に関係するＩＰヘッダおよびドナーｅＮＢ１０２に関係するＩＰヘッダを含むことができる。コアネットワーク１０６は、パケットをヘッダとともにドナーｅＮＢ１０２に転送することができる。ドナーｅＮＢ１０２は、パケットを取得し、ドナーｅＮＢ１０２に関係するＩＰヘッダを削除し、次のＩＰヘッダに基づいてパケットをリレーｅＮＢ１０４に転送することができる。リレーｅＮＢ１０４は、一例では、リレーｅＮＢ１０４に関係するヘッダを同様に削除することができ、リレーｅＮＢ１０４は、残りのＩＰヘッダまたは別のヘッダに基づいてパケットをＵＥ１１０に転送することができる。ＵＥ１１０とドナーｅＮＢ１０２との間には１つのリレーｅＮＢ１０４が示されているが、追加のリレーｅＮＢが存在することができることと、パケットルーティングを可能にするために、リレーｅＮＢごとに、説明したように、ＩＰヘッダをアップリンクおよびダウンリンクパケットに追加することができることとを諒解されたい。
【００２６】
さらに、説明したように、リレーｅＮＢ１０４はＵＥとしてドナーｅＮＢ１０２に接続することができるので、リレーｅＮＢ１０４も、ドナーｅＮＢ１０２と確立され得る無線ベアラの数がドナーｅＮＢ１０２によって制限され得る。しかしながら、リレーｅＮＢ１０４は、同様に、ＵＥ１１０および追加のＵＥがリレーｅＮＢ１０４とのいくつかの無線ベアラを確立することを可能にすることができる。この点について、ＵＥ１１０とリレーｅＮＢ１０４との間に確立される無線ベアラは、リレーｅＮＢ１０４とドナーｅＮＢ１０２との間に確立される限られた無線ベアラにマッピングされ得る。一例では、コアネットワーク１０６は、ドナーｅＮＢ１０２を介したリレーｅＮＢ１０４へのパケットのルーティングを保証するために、そのようなマッピングを実行することができる。いずれにせよ、ドナーｅＮＢ１０２は、ＵＥ１１０と、リレーｅＮＢ１０４と通信している１つまたは複数の追加のＵＥ（図示せず）とに関係するパケットを、無線リンク制御（ＲＬＣ）レイヤなどの無線通信レイヤを介してリレーｅＮＢ１０４に送信することができる。無線通信レイヤは、パケットを１つまたは複数のサービスデータユニット（ＳＤＵ）として無線通信レイヤ上で送信することができ、ＳＤＵは、その後のＳＤＵの順序付け及び処理のためのシーケンス番号を示すことができることを諒解されたい。さらに、無線通信レイヤは、一例では、ＳＤＵを通信するために１つまたは複数の下位レイヤを利用することができる。
【００２７】
リレーｅＮＢ１０４においてＳＤＵを受信すると、無線通信レイヤは、パケットデータコンバージェンスプロトコル（ＰＤＣＰ）レイヤなどの上位レイヤに与えるための１つまたは複数のプロトコルデータユニット（ＰＤＵ）をＳＤＵから構築することができる。ドナーｅＮＢ１０２とリレーｅＮＢ１０４との間の所与の無線ベアラについては、説明したように、異種ＵＥに関係するＳＤＵが無線通信レイヤを介して受信され得る。無線通信レイヤは、ＳＤＵの示されたシーケンス番号にかかわらず、受信時にＳＤＵに関係するＰＤＵを上位レイヤに与えることができる。この点について、上位レイヤは、ドナーｅＮＢ１０２から受信したＳＤＵに対応し、ＵＥ１１０に関係するＰＤＵを無線通信レイヤで受信することができるが、より小さいシーケンス番号をもつ異種ＵＥのための１つまたは複数の異種ＳＤＵは、無線通信レイヤでは受信されない。たとえば、ＬＴＥまたは他のワイヤレス通信規格などの既存のネットワーク規格は、ＳＤＵがＰＤＵとして順々に上位レイヤに配信されることを要求することがあり、それにより、ＵＥからのＳＤＵが遅延する遅延が生じることがあり、その遅延中に他のＵＥに関係するＳＤＵが受信されることを諒解されたい。
【００２８】
図２を参照すると、ワイヤレスネットワークにおけるデバイスの間のユーザプレーン通信をサポートすることを可能にするワイヤレス通信システム２００が示されている。システム２００は、ワイヤレスネットワーク中で通信することができる、ワイヤレスデバイス２０２とワイヤレスデバイス２０４とを含む。ワイヤレスデバイス２０２および２０４はそれぞれ、アクセスポイント（たとえば、マクロセルアクセスポイント、フェムトセルアクセスポイント、ピコセルアクセスポイント、モバイル基地局、リレーノードなど）、モバイルデバイス（ＵＥ、モデム、または他のテザーデバイス（tethered device）など）などであり得る。一例では、ワイヤレスデバイス２０２は、ネットワークアクセスを与えるために、ワイヤレスデバイス２０４とダウンストリームで通信することができる。さらに、説明するように、ワイヤレスデバイス２０２は、ワイヤレスデバイス２０４にアクセスを与えるために、異種デバイスと確立された複数の無線ベアラを介して複数の異種デバイスと通信することができる。さらに、ワイヤレスデバイス２０４は、ワイヤレスデバイス２０４が、ワイヤレスデバイス２０２との限られた数の無線ベアラのうちの１つを介した異種デバイスからの通信をマッピングするように、ワイヤレスデバイス２０２との限られた数の無線ベアラを確立することができる。
【００２９】
ワイヤレスデバイス２０２は、上位レイヤ（たとえば、アプリケーションレイヤ、あるいはＰＤＣＰまたは他のパケットデータレイヤの上の実質的に任意のレイヤ）から、パケットデータレイヤに与えるためのデータを取得する上位レイヤ処理構成要素２０６と、ワイヤレス接続を介して通信するために上位レイヤから受信されたデータを１つまたは複数のＰＤＵに構築するＰＤＣＰレイヤ処理構成要素２０８とを含む。ワイヤレスデバイス２０２はまた、ワイヤレス接続を介して送信するために受信パケットデータレイヤＰＤＵから１つまたは複数のＳＤＵを生成するＲＬＣレイヤ処理構成要素２１０と、そのＳＤＵを異種ワイヤレスデバイスに通信する送信構成要素２１２とを含む。
【００３０】
ワイヤレスデバイス２０４は、異種ワイヤレスデバイスから１つまたは複数の無線レイヤＳＤＵを取得する受信構成要素２１４と、上位レイヤへの配信のためのＰＤＵを生成するＲＬＣレイヤ処理構成要素２１６とを含む。ワイヤレスデバイス２０４は、データを上位レイヤに配信するために下位レイヤから受信された１つまたは複数のＰＤＵを準備するＰＤＣＰレイヤ処理構成要素２１８と、（たとえば、異種ワイヤレスデバイスとの通信をサポートするアプリケーションなどにおいて）下位レイヤから受信されたデータを取得し、そのデータを利用する上位レイヤ処理構成要素２２０とをさらに含む。
【００３１】
一例によれば、上位レイヤ処理構成要素２０６は、ワイヤレスネットワークにおいて通信するために（たとえば、ワイヤレスデバイス２０２上で実行しているアプリケーションから）データを受信することができ、ワイヤレスネットワークに通信するために、そのデータをＰＤＣＰレイヤ処理構成要素２０８に配信することができる。ＰＤＣＰレイヤ処理構成要素２０８は、ＰＤＣＰレイヤ仕様に従って、データを備える１つまたは複数のＰＤＵを生成することができる。たとえば、ＰＤＣＰレイヤ処理構成要素２０８は、データおよび／または他のプロシージャにヘッダ圧縮を適用することができ、次いで、そのデータを１つまたは複数のＰＤＵ中に含めることができる。ＰＤＣＰレイヤ処理構成要素２０８はＰＤＵをＲＬＣレイヤ処理構成要素２１０に配信することができる。ＲＬＣレイヤ処理構成要素２１０は、ＰＤＵを取得することができ、ワイヤレスデバイス２０４に送信するためにＰＤＵを準備することができる。たとえば、ＲＬＣレイヤ処理構成要素２１０は、（利用可能な帯域幅、ワイヤレスデバイス２０４との接続信頼性など）１つまたは複数の通信パラメータに従ってＰＤＵを１つまたは複数のＲＬＣレイヤＳＤＵに分解することができる。ＲＬＣレイヤ処理構成要素２１０は、１つまたは複数の信号中でワイヤレスデバイス２０４に通信するためにＳＤＵを送信構成要素２１２に与えることができる。送信構成要素２１２は、１つまたは複数の確立されたベアラを介してＳＤＵをワイヤレスデバイス２０４に送信することができる。
【００３２】
受信構成要素２１４はワイヤレスデバイス２０２からＳＤＵを取得することができる。説明したように、ＳＤＵは、複数のワイヤレスデバイスに関係することができ、ワイヤレスデバイス２０２とワイヤレスデバイス２０４との間の限られた数のベアラを介して受信され得る。受信構成要素２１４はＳＤＵをＲＬＣレイヤ処理構成要素２１６に転送することができる。ＲＬＣレイヤ処理構成要素２１６は、１つまたは複数の受信されたＳＤＵに基づいて（たとえば、ＳＤＵに関係するヘッダおよび／またはシーケンス番号に少なくとも部分的に基づいて）ＰＤＵを作成することができ、説明したように、（たとえば、対応する（１つまたは複数の）ＳＤＵの少なくとも一部分の１つまたは複数のパラメータなどに基づいて）シーケンス番号をＰＤＵに関連付けることができる。ＲＬＣレイヤ処理構成要素２１６は、説明したように、（たとえば、ＳＤＵ中のシーケンス番号を顧慮せずに）受信時にＰＤＵをＰＤＣＰレイヤ処理構成要素２１８に転送することができる。
【００３３】
この点について、ＰＤＣＰレイヤ処理構成要素２１８は、上位レイヤ処理構成要素２２０への順序配信を保証するために、上位レイヤ処理構成要素２２０に送る前にＰＤＵを順序付けることができる。したがって、ＰＤＣＰレイヤ処理構成要素２０８は、順序にかかわらず、ＲＬＣレイヤ処理構成要素２１６からＰＤＵを受信することができ、上位レイヤ処理構成要素２０６に通信するために連続ＰＤＵをパケットに構築することができる。たとえば、ＲＬＣレイヤ処理構成要素２１６は、受信構成要素２１４からシーケンス番号１および３をもつＳＤＵを受信することができる。この例では、ＲＬＣレイヤ処理構成要素２１６は、シーケンス番号２を備えるすべて（またはいずれかの）ＳＤＵを受信していない。ＲＬＣレイヤ処理構成要素２１６は、シーケンス番号２をもつ１つまたは複数のＳＤＵを待つことなしに、シーケンス番号１および３をもつＳＤＵに関係するＰＤＵをＰＤＣＰレイヤ処理構成要素２１８に与えることができる。
【００３４】
したがって、ＰＤＣＰレイヤ処理構成要素２１８は、シーケンス番号２をもつＳＤＵに関係するデバイスとは異なる１つまたは複数のデバイスに対応するパケットにそれぞれ関係することができる、シーケンス番号１および３をもつＳＤＵを備えるＰＤＵを取得することができる。この点について、たとえば、１つまたは複数のパケットが、シーケンス番号１および／または３を有するＳＤＵをもつＰＤＵから完全に形成され得る（たとえば、一緒にならびに／あるいは１つまたは複数の異種受信ＰＤＵとの組合せでパケットを形成する）場合、シーケンス番号２を有するＳＤＵをもつＰＤＵはまだ受信されていないが、ＰＤＣＰレイヤ処理構成要素２１８は、そのパケットを上位レイヤ処理構成要素２２０に配信することができる。同様に、上位レイヤ処理構成要素２２０は、ワイヤレスデバイス２０２のための機能を実行するためにパケットを利用することができる。ワイヤレスデバイス２０２および２０４について、ワイヤレスデバイス２０２からワイヤレスデバイス２０４へのダウンリンク通信に関して図示および説明したが、たとえば、複数のデバイスに関係するパケットが単一の無線ベアラまたは通信トンネルを介して送られる、アップリンクおよび／または実質的に任意の接続のために、同じ構成要素および機能が使用され得ることを諒解されたい。
【００３５】
図３を参照すると、ワイヤレス通信を可能にするためにワイヤレスデバイス中で採用され得る例示的な通信レイヤ処理構成要素３００が示されている。ＰＤＵを上位レイヤに配信するＲＬＣレイヤ処理構成要素２１６、ならびに無線通信レイヤから受信されたＰＤＵを異種上位レイヤに同様に配信するＰＤＣＰレイヤ処理構成要素２１８が示されている。たとえば、ＲＬＣレイヤ処理構成要素２１６およびＰＤＣＰレイヤ処理構成要素２１８は、説明したように、アクセスポイント、モバイルデバイスなどのワイヤレスデバイス内で実装され得、限られた数の無線ベアラを介して様々な異種デバイスから受信された通信を処理することができる。
【００３６】
ＲＬＣレイヤ処理構成要素２１６は、（たとえば、物理受信機などの下位レイヤ構成要素から）１つまたは複数のＳＤＵの少なくとも一部分を取得する受信構成要素３０２と、再送信をサポートするために受信バッファ中に１つまたは複数のＳＤＵの少なくとも一部分を含めることができるバッファリング構成要素３０４と、１つまたは複数の全ＳＤＵから１つまたは複数のＰＤＵを作成することができるＰＤＵ生成構成要素３０６とを含むことができる。ＲＬＣレイヤ処理構成要素２１６は、ＳＤＵが（たとえば、ＰＤＵとして）上位レイヤに与えられたかどうかを指定する、ＳＤＵに対応する値を設定することができる配信指示構成要素３０８と、１つまたは複数のＰＤＵを上位レイヤに通信する配信構成要素３１０とをさらに含むことができる。ＰＤＣＰレイヤ処理構成要素２１８は、下位レイヤから１つまたは複数のＰＤＵを取得することができる受信構成要素３１２と、完全なパケットを構築するために追加のＰＤＵを必要とする１つまたは複数のＰＤＵを記憶することができる並べ替えバッファ構成要素３１４とを備えることができる。ＰＤＣＰレイヤ処理構成要素２１８はまた、１つまたは複数の受信ＰＤＵから１つまたは複数のパケットを作成するパケット生成構成要素３１６と、その１つまたは複数のパケットを上位レイヤ（たとえば、アプリケーションレイヤなど）に通信する配信構成要素３１８とを含むことができる。
【００３７】
一例によれば、受信構成要素３０２は、説明したように、ダウンストリームデバイスに関係し、受信機を介してアップストリームアクセスポイントから受信されたＳＤＵを取得することができる。バッファリング構成要素３０４は、自動再送要求（ＡＲＱ）、ハイブリッドＡＲＱ（ＨＡＲＱ）などの再送信方式の適切な機能を維持するために、ＳＤＵを受信バッファに記憶することができる。ＰＤＵ生成構成要素３０６は、１つまたは複数の全ＳＤＵに少なくとも部分的に基づいて、上位レイヤに与えるためのＰＤＵを構築することができる。一例では、（１つまたは複数の）ＳＤＵの１つまたは複数のヘッダは、１つまたは複数のＳＤＵを使用して、関係するＰＤＵのための構造を示すことができる。さらに、ＰＤＵ生成構成要素３０６は、シーケンス番号、長さなど、その１つまたは複数のパラメータを指定するＰＤＵをもつヘッダを含むことができる。ＰＤＵが構築されると、配信構成要素３１０は、シーケンス番号にかかわらず、ＰＤＵをＰＤＣＰレイヤ処理構成要素２１８に与えることができる。
【００３８】
さらに、たとえば、配信指示構成要素３０８は、ＳＤＵがＰＤＵの一部としてＰＤＣＰレイヤ処理構成要素２１８に与えられるとき、受信バッファ中でＳＤＵのためのフラグまたは他のインジケータを設定することができる。これは、たとえば、（たとえば、ヘッダ、関係するテーブル中などの）ＳＤＵに関連する値を初期化することを含むことができる。さらに、バッファリング構成要素３０４は、受信構成要素３０２によっておよび／または実質的に任意の他の時間において（たとえば、タイマーまたは他のイベントに従って）追加のＳＤＵまたは一部分を受信すると、ＳＤＵまたはその一部分を並べ替えることができる。並べ替えを実行することによって、バッファリング構成要素３０４は、たとえば、受信バッファ中のＳＤＵのシーケンス番号に従って、消失したＳＤＵまたは一部分があるかどうかを判断することができる。並べ替え後、ＰＤＵ生成構成要素３０６は、重複ＰＤＵが作成されず、ＰＤＣＰレイヤ処理構成要素２１８に配信されないことを保証するために、ＳＤＵ中のフラグまたは他のインジケータを利用することができる。したがって、ＳＤＵがＰＤＵ中に含められ、上位レイヤに与えられると、バッファリング構成要素３０４は、バッファからＳＤＵを削除し、ＳＤＵに関係する確認応答（ＡＣＫ）を関係するデバイスなどに送信することができる。
【００３９】
受信構成要素３１２はＲＬＣレイヤ処理構成要素２１６から１つまたは複数のＰＤＵを取得することができ、ＰＤＵは、説明したように、関係するシーケンス番号に従ってばらばらの順で受信され得る。並べ替えバッファ構成要素３１４は、受信構成要素３１２からの受信時にＰＤＵを記憶することができる。パケット生成構成要素３１６は、パケットを構築するために組み合わせることができる１つまたは複数のＰＤＵからパケットを作成することができる。パケット生成構成要素３１６は、たとえば、ＰＤＵのうちの少なくとも１つのヘッダ中の１つまたは複数のパラメータ（たとえば、開始シーケンス番号、終了シーケンス番号、パケット長など）に少なくとも部分的に基づいて、パケットを作成するのに必要な１つまたは複数のＰＤＵを判断することができる。さらに、パケット生成構成要素３１６は、同様のシーケンス番号、サイズなどを含むヘッダなど、追加のパラメータをパケット中に含めることができる。パケットが構築されると、配信構成要素３１８はパケットを上位レイヤに与えることができる。したがって、ＰＤＵがＰＤＣＰレイヤ処理構成要素２１８に到着したときに、ＰＤＵからパケットを構築することができる。ＰＤＵが、パケットに対応するＰＤＵのシーケンス中で受信されなかったために、当該パケットを形成することができない場合、一例では、受信されなかったＰＤＵにかかわらず、（たとえば、他のデバイスに関係する）他のパケットが形成され、上位レイヤに与えられる。
【００４０】
さらに、ＰＤＵは、関係するパケットを形成する実質的にすべてのＰＤＵが受信構成要素３１２によって受信されるまで（その時点では、パケットが作成され、配信される）、並べ替えバッファ構成要素３１４中にとどまることができる。たとえば、ＲＬＣレイヤ処理構成要素２１６は、受信構成要素３１２によって受信されるまで、欠けているＰＤＵを配信しようと一貫して試みることができる。同様に上記で説明したように、並べ替えバッファ構成要素３１４は、ＰＤＵが受信されたか否かを判断するために、受信構成要素３１２によっておよび／または他の方法でＰＤＵを受信すると、受信されたＰＤＵのシーケンス番号に従ってバッファを並べ替えることができる。
【００４１】
次に図４を参照すると、ＩＰリレー機能を提供する例示的なワイヤレス通信ネットワーク４００が示されている。ネットワーク４００は、説明したように、ワイヤレスネットワークへのアクセスを受信するためにリレーｅＮＢ１０４と通信するＵＥ１１０を含む。リレーｅＮＢ１０４は、ワイヤレスネットワークへのアクセスを提供するためにドナーｅＮＢ１０２と通信することができ、説明したように、ドナーｅＮＢ１０２は、リレーｅＮＢ１０４に関係するＭＭＥ４０２および／またはＳＧＷ４０４と通信することができる。ＳＧＷ４０４は、ＳＧＷ４０４および／または追加のＳＧＷへのネットワークアクセスを与えるＰＧＷ４０６に接続または結合することができる。ＰＧＷ４０６は、リレーｅＮＢ１０４がネットワークを使用することを認証／許可するために、リレーｅＮＢ１０４にアドレス指定を提供するためにＩＰマルチメディアサブシステム（ＩＭＳ）４１０を利用することができるポリシーおよび課金ルール機能（ＰＣＲＦ）４０８と通信することができる。
【００４２】
一例によれば、ＳＧＷ４０４およびＰＧＷ４０６はまた、ＵＥ１１０に関係し得るＳＧＷ４１６およびＰＧＷ４１８と通信することができる。たとえば、ＳＧＷ４１６および／またはＰＧＷ４１８は、ＵＥ１１０にＩＰアドレスを割り当てることができ、ＳＧＷ４０４およびＰＧＷ４０６、ドナーｅＮＢ１０２、ならびにリレーｅＮＢ１０４を介してＵＥ１１０と通信することができる。ＵＥ１１０とＳＧＷ４１６および／またはＰＧＷ４１８との間の通信は、ノードを介してトンネリングされ得る。ＳＧＷ４０４およびＰＧＷ４０６は、同様に、ＵＥ１１０とＭＭＥ４１４との間の通信をトンネリングすることができる。ＰＧＷ４１８は、同様に、ＵＥ１１０を認証／許可するためにＰＣＲＦ４０８と通信することができ、ＰＣＲＦ４０８はＩＭＳ４１０と通信することができる。さらに、ＰＧＷ４１８は、ＩＭＳ４１０および／またはインターネット４１２と直接通信することができる。
【００４３】
一例では、ＵＥ１１０は、説明したように、Ｅ−ＵＴＲＡ−Ｕｕインターフェースなどの１つまたは複数の無線プロトコルインターフェースを介してリレーｅＮＢ１０４と通信することができ、リレーｅＮＢ１０４は、Ｅ−ＵＴＲＡ−Ｕｕまたは他のインターフェースなどの１つまたは複数の無線プロトコルインターフェースを使用してドナーｅＮＢ１０２と通信することができる。説明したように、リレーｅＮＢ１０４は、ＳＧＷ４０４および／またはＰＧＷ４０６に関係するユーザデータグラムプロトコル（ＵＤＰ）／ＩＰおよび／または汎用パケット無線サービス（ＧＰＲＳ）トンネリングプロトコル（ＧＴＰ）ヘッダを、ＵＥ１１０から受信したパケットに付加することができ、そのパケットをドナーｅＮＢ１０２に転送することができる。さらに、リレーｅＮＢ１０４は、ドナーｅＮＢ１０２と確立された限られた数の無線ベアラのうちの少なくとも１つに、パケットをマッピングすることができる。ドナーｅＮＢ１０２は、図示のように、Ｓ１−ＭＭＥインターフェースを使用してＭＭＥ４０２と通信し、Ｓ１−Ｕインターフェースを介してＳＧＷ４０４およびＰＧＷ４０６と通信する。たとえば、ドナーｅＮＢ１０２は、同様に、ＵＤＰ／ＩＰおよび／またはＧＴＰヘッダをパケットに付加し、ＭＭＥ４０２またはＳＧＷ４０４に転送することができる。
【００４４】
ＳＧＷ４０４および／またはＰＧＷ４０６は、コアネットワーク内でパケットをルーティングするためにＵＤＰ／ＩＰおよび／またはＧＴＰヘッダを利用することができる。たとえば、説明したように、ＳＧＷ４０４および／またはＰＧＷ４０６は、パケットを受信し、ＳＧＷ４０４および／またはＰＧＷ４０６に関係する外部ＵＤＰ／ＩＰおよび／またはＧＴＰヘッダを削除することができる。ＳＧＷ４０４および／またはＰＧＷ４０６は、ＵＥ１１０に関係する、ＳＧＷ４１６および／またはＰＧＷ４１８であり得る、パケットを受信するための次のノードを判断するために、次のＵＤＰ／ＩＰおよび／またはＧＴＰヘッダを処理することができる。同様に、ＳＧＷ４１６および／またはＰＧＷ４１８は、ＵＥに関係するダウンリンクパケットを取得することができ、ＵＥ１１０に与えるためにそのパケットをリレーｅＮＢ１０４に通信することに関係するＵＤＰ／ＩＰヘッダおよび／またはＧＴＰヘッダを含めることができる。ＳＧＷ４１６および／またはＰＧＷ４１８は、リレーｅＮＢ１０４に関係するパケットをＳＧＷ４０４および／またはＰＧＷ４０６に転送することができる。ＳＧＷ４０４および／またはＰＧＷ４０６は、ドナーｅＮＢ１０２に関係するパケット中に追加のＵＤＰ／ＩＰおよび／またはＧＴＰヘッダをさらに含めることができる。
【００４５】
さらに、ＳＧＷ４０４および／またはＰＧＷ４０６は、パケットをドナーｅＮＢ１０２に通信するためのＧＴＰトンネルを選択することができる。これは、説明したように、ＳＧＷ４１６および／またはＰＧＷ４１８から受信されたＵＤＰ／ＩＰおよび／またはＧＴＰヘッダ中の情報などに基づき得る。ＳＧＷ４０４および／またはＰＧＷ４０６は、（たとえば、ＳＧＷ４０４および／またはＰＧＷ４０６によって含められたＧＴＰヘッダ中の１つまたは複数のパラメータを含むことによって）トンネルを介してパケットをドナーｅＮＢ１０２に通信することができる。ドナーｅＮＢ１０２は、ＳＧＷ４０４および／またはＰＧＷ４０６によって含められた外部ＧＴＰおよび／またはＵＤＰ／ＩＰヘッダを削除することができ、パケットを受信するための次のノードを判断することができる。したがって、ドナーｅＮＢ１０２は、ＧＴＰトンネルに関係する無線ベアラを介してパケットをリレーｅＮＢ１０４に送信することができる。リレーｅＮＢ１０４は、説明したように、ＲＬＣレイヤにおいてパケットに関係するＳＤＵを受信することができ、（たとえば、説明したように、連続ＲＬＣ  ＳＤＵを待つことなしに）受信時にＳＤＵをＰＤＵとしてＰＤＣＰレイヤに転送することができる。ＰＤＣＰレイヤは、説明したように、ＰＤＵからパケットを再構築することができ、次のＵＤＰ／ＩＰまたはＧＴＰヘッダ中の１つまたは複数のパラメータ、パケットが受信される無線ベアラなどに少なくとも部分的に基づいて、パケットを受信するための次のノードおよび／またはパケットを送信するためのベアラを同様に判断することができる。リレーｅＮＢ１０４は、ＵＤＰ／ＩＰおよびＧＴＰヘッダを削除することができ、パケットをＵＥ１１０に送信することができる。
【００４６】
図５〜図７を参照すると、ＩＰリレー通信のためのユーザプレーンをサポートすることに関係する方法が示されている。説明を簡潔にする目的で、方法を一連の行為として図示し説明するが、いくつかの行為は、１つまたは複数の態様によれば、本明細書で図示し説明する順序とは異なる順序で、および／または他の行為と同時に行われるので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、図示のすべての行為が必要とされるわけではない。
【００４７】
図５を参照すると、シーケンス番号にかかわらず、ＰＤＵを上位通信レイヤに配信することを可能にする例示的な方法５００が示されている。５０２において、受信信号からＳＤＵを取得する。説明したように、たとえば、信号は、限られた数の無線ベアラのうちの１つにマッピングされ、その無線ベアラを介して受信され得る。５０４において、ＳＤＵに少なくとも部分的に基づいて、上位通信レイヤに関係するＰＤＵを生成する。たとえば、これは、上位通信レイヤによる処理のために、ＳＤＵにヘッダを付加することを含むことができる。５０６において、ＳＤＵ中のシーケンス番号にかかわらず、ＰＤＵを上位通信レイヤに配信する。したがって、たとえば、より小さいシーケンス番号をもつＳＤＵはまだ受信されてないが、ＰＤＵを生成し、配信することができる。その後、より小さいシーケンス番号をもつＳＤＵが受信されると、より大きいシーケンス番号をもつＳＤＵに続いて、関係するＰＤＵを上位通信レイヤに送信することができる。この点について、ＰＤＣＰまたは同様のレイヤであり得る上位通信レイヤは、前に説明したように、ＰＤＵ順序付けを行うことができる。
【００４８】
図６を参照すると、バッファ中の１つまたは複数のＳＤＵを管理することを可能にする例示的な方法６００が示されている。６０２において、受信されたＳＤＵに関係するＰＤＵを上位通信レイヤに配信する。説明したように、これは、ＳＤＵに関係する１つまたは複数のパラメータを含むことができるヘッダをＳＤＵに関連付けることを含むことができる。６０４において、上位通信レイヤへのＰＤＵの正常な配信をＳＤＵ中で示す。この点について、説明したように、（たとえば、無線通信レイヤにおいて再送信機構を保存するために）ＳＤＵをバッファに記憶することができる。したがって、たとえば、ＳＤＵに関係するフラグまたは他のパラメータを、ＳＤＵが上位通信レイヤに正常に配信されたことを明示するように設定することができる。その後、６０６において、その表示に少なくとも部分的に基づいて、ＳＤＵが上位通信レイヤに正常に配信されたかどうかを判断する。したがって、正常に配信された場合、ＳＤＵを上位通信レイヤに再配信する必要はなく、一例では、バッファから削除することができる。
【００４９】
図７を参照すると、１つまたは複数の受信されたＰＤＵからパケットを生成することを可能にする例示的な方法７００が示されている。７０２において、シーケンス番号を顧慮せずに、無線通信レイヤから１つまたは複数のＰＤＵを受信する。したがって、ＰＤＵは、説明したように、関係する無線ベアラにマッピングされた１つまたは複数のデバイスに関係するパケットについての遅延を緩和するために、バラバラの順序で受信される。７０４において、１つまたは複数のＰＤＵを並べ替えバッファに記憶する。一例では、実質的にすべての受信されたＰＤＵは並べ替えバッファに記憶され得る。別の例では、アップストリームで通信されないＰＤＵは並べ替えバッファに記憶され得る。７０６において、並べ替えバッファ中の１つまたは複数の連続ＰＤＵからパケットを生成する。この点について、（たとえば、１つまたは複数の関係するＰＤＵがまだ受信されないので）パケットを生成するために利用することができないＰＤＵは、同様のパケットに対応するＰＤＵが受信されるまで並べ替えバッファ中に残ることができる。
【００５０】
本明細書で説明する１つまたは複数の態様によれば、パケットを生成するために必要とされるＰＤＵを判断すること、ＳＤＵを再送信すべきかどうかを識別すること、および／または本明細書で説明する他の態様に関して推論を行うことができることを諒解されたい。本明細書で使用する「推論する（infer）」または「推論(inference)」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために採用でき、あるいは、たとえば、状態の確率分布を生成することができる。推論は、確率的、すなわち、データおよびイベントの考察に基づく当該の状態の確率分布の計算とすることができる。推論は、イベントおよび／またはデータのセットからより高いレベルのイベントを構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００５１】
次に図８を参照すると、本明細書で提示する様々な実施形態によるワイヤレス通信システム８００が示されている。システム８００は、複数のアンテナグループを含むことができる基地局８０２を備える。たとえば、１つのアンテナグループはアンテナ８０４および８０６を含み、別のグループはアンテナ８０８および８１０を備え、さらなるグループはアンテナ８１２および８１４を含むことができる。アンテナグループごとに２つのアンテナが示されているが、グループごとにより多いまたはより少ないアンテナを利用することができる。基地局８０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００５２】
基地局８０２は、モバイルデバイス８１６およびモバイルデバイス８２２など１つまたは複数のモバイルデバイスと通信することができるが、基地局８０２は、モバイルデバイス８１６および８２２と同様の実質的にいかなる数のモバイルデバイスとも通信することができることを諒解されたい。モバイルデバイス８１６および８２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム８００を介して通信するための他の好適なデバイスであり得る。図示のように、モバイルデバイス８１６は、アンテナ８１２および８１４と通信しており、アンテナ８１２および８１４は、順方向リンク８１８を介して情報をモバイルデバイス８１６に送信し、逆方向リンク８２０を介してモバイルデバイス８１６から情報を受信する。さらに、モバイルデバイス８２２は、アンテナ８０４および８０６と通信しており、アンテナ８０４および８０６は、順方向リンク８２４を介して情報をモバイルデバイス８２２に送信し、逆方向リンク８２６を介してモバイルデバイス８２２から情報を受信する。周波数分割複信（ＦＤＤ）システムでは、たとえば、順方向リンク８１８は、逆方向リンク８２０によって使用される周波数帯とは異なる周波数帯を利用し、順方向リンク８２４は、逆方向リンク８２６によって使用される周波数帯とは異なる周波数帯を使用することができる。さらに、時分割複信（ＴＤＤ）システムでは、順方向リンク８１８および逆方向リンク８２０は共通の周波数帯を利用し、順方向リンク８２４および逆方向リンク８２６は共通の周波数帯を利用することができる。
【００５３】
アンテナの各グループおよび／またはそれらが通信するように指定されたエリアは、基地局８０２のセクタと呼ばれることがある。たとえば、アンテナグループは、基地局８０２によってカバーされるエリアのセクタ中のモバイルデバイスに通信するように設計され得る。順方向リンク８１８および８２４を介した通信では、基地局８０２の送信アンテナは、モバイルデバイス８１６および８２２についての順方向リンク８１８および８２４の信号対雑音比を向上させるためにビームフォーミングを利用することができる。さらに、基地局８０２が、関連するカバレージ中に不規則に散在するモバイルデバイス８１６および８２２に送信するためにビームフォーミングを利用する間は、隣接セル内のモバイルデバイスは、基地局が単一のアンテナを介してその基地局のすべてのモバイルデバイスに送信する場合と比較して干渉を受けにくい。さらに、モバイルデバイス８１６および８２２は、ピアツーピアまたはアドホック技術を使用して互いに直接通信することができる（図示せず）。
【００５４】
一例によれば、システム８００は多入力多出力（ＭＩＭＯ）通信システムであり得る。さらに、システム８００は、ＦＤＤ、ＦＤＭ、ＴＤＤ、ＴＤＭ、ＣＤＭなど、通信チャネル（たとえば、順方向リンク、逆方向リンク、．．．）を分割する実質的にどんなタイプの複信技法でも利用することができる。さらに、チャネル上での複数のデバイスとの同時通信を可能にするために通信チャネルを直交させ、一例では、この点についてＯＦＤＭを利用することができる。したがって、チャネルは、ある時間期間にわたる周波数の部分に分割され得る。さらに、フレームは、時間期間の集合にわたる周波数の部分として定義でき、したがって、たとえば、フレームはいくつかのＯＦＤＭシンボルを備えることができる。基地局８０２は、様々なタイプのデータに対して作成できるチャネルを介してモバイルデバイス８１６および８２２に通信することができる。たとえば、チャネルは、様々なタイプの一般的通信データ、制御データ（たとえば、他のチャネルの品質情報、チャネルを介して受信されたデータに対する肯定応答インジケータ、干渉情報、基準信号など）などを通信するために作成され得る。
【００５５】
図９に、例示的なワイヤレス通信システム９００を示す。ワイヤレス通信システム９００には、簡潔のために、１つの基地局９１０と、１つのモバイルデバイス９５０とを示してある。ただし、システム９００は、２つ以上の基地局および／または２つ以上のモバイルデバイスを含むことができ、追加の基地局および／またはモバイルデバイスは、以下で説明する例示的な基地局９１０およびモバイルデバイス９５０と実質的に同様または異なるものであり得ることを諒解されたい。さらに、基地局９１０および／またはモバイルデバイス９５０は、それらの間のワイヤレス通信を可能にするために、本明細書で説明するシステム（図１〜図４および図８）および／または方法（図５〜図７）を使用することができることを諒解されたい。
【００５６】
基地局９１０において、いくつかのデータストリームのトラフィックデータがデータソース９１２から送信（ＴＸ）データプロセッサ９１４に与えられる。一例によれば、各データストリームは、それぞれのアンテナを介して送信され得る。ＴＸデータプロセッサ９１４は、トラフィックデータストリーム用に選択された特定の符号化方式に基づいて、そのデータストリームをフォーマットし、符号化し、インターリーブして、符号化データを与える。
【００５７】
各データストリームの符号化データは、直交周波数分割多重（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、既知の方法で処理される既知のデータパターンであり、チャネル応答を推定するためにモバイルデバイス９５０において使用され得る。各データストリームの多重化されたパイロットおよび符号化データを、そのデータストリーム用に選択された特定の変調方式（たとえば、２値位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）して、変調シンボルを与えることができる。各データストリームのデータレート、符号化、および変調は、プロセッサ９３０によって実行または与えられる命令によって判断され得る。
【００５８】
データストリームの変調シンボルはＴＸ  ＭＩＭＯプロセッサ９２０に供給され、ＴＸ  ＭＩＭＯプロセッサ９２０は、さらに（たとえば、ＯＦＤＭ用に）変調シンボルを処理する。次いで、ＴＸ  ＭＩＭＯプロセッサ９２０はＮT個の変調シンボルストリームをＮT個の送信機（ＴＭＴＲ）９２２ａ〜９２２ｔに供給する。様々な態様では、ＴＸ  ＭＩＭＯプロセッサ９２０は、データストリームのシンボルと、シンボルの送信元のアンテナとにビームフォーミング重みを適用する。
【００５９】
各送信機９２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。さらに、送信機９２２ａ〜９２２ｔからのＮT個の変調信号は、それぞれＮT個のアンテナ９２４ａ〜９２４ｔから送信される。
【００６０】
モバイルデバイス９５０では、送信された変調信号はＮR個のアンテナ９５２ａ〜９５２ｒによって受信され、各アンテナ９５２からの受信信号は、それぞれの受信機（ＲＣＶＲ）９５４ａ〜９５４ｒに供給される。各受信機９５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを与える。
【００６１】
ＲＸデータプロセッサ９６０は、特定の受信機処理技法に基づいてＮR個の受信機９５４からＮR個の受信シンボルストリームを受信し、処理して、ＮT個の「検出」シンボルストリームを与えることができる。ＲＸデータプロセッサ９６０は、各検出シンボルストリームを復調し、デインタリーブし、復号して、データストリームのトラフィックデータを復元することができる。ＲＸデータプロセッサ９６０による処理は、基地局９１０においてＴＸ  ＭＩＭＯプロセッサ９２０およびＴＸデータプロセッサ９１４によって実行される処理を補足するものである。
【００６２】
プロセッサ９７０は、上述のように、どのプリコーディング行列を利用すべきかを周期的に判断することができる。さらに、プロセッサ９７０は、行列インデックス部分とランク値部分とを備える逆方向リンクメッセージを作成することができる。
【００６３】
逆方向リンクメッセージは、通信リンクおよび／または受信データストリームに関する様々なタイプの情報を備えることができる。逆方向リンクメッセージは、データソース９３６からいくつかのデータストリームのトラフィックデータをも受信するＴＸデータプロセッサ９３８によって処理され、変調器９８０によって変調され、送信機９５４ａ〜９５４ｒによって調整され、基地局９１０に戻される。
【００６４】
基地局９１０において、モバイルデバイス９５０からの変調信号は、アンテナ９２４によって受信され、受信機９２２によって調整され、復調器９４０によって復調され、ＲＸデータプロセッサ９４２によって処理されて、モバイルデバイス９５０によって送信された逆方向リンクメッセージが抽出される。さらに、プロセッサ９３０は、抽出されたメッセージを処理して、ビームフォーミング重みを判断するためにどのプリコーディング行列を使用すべきかを判断することができる。
【００６５】
プロセッサ９３０および９７０は、それぞれ基地局９１０およびモバイルデバイス９５０における動作を指示（たとえば、制御、調整、管理など）することができる。それぞれのプロセッサ９３０および９７０は、プログラムコードおよびデータを記憶するメモリ９３２および９７２に関連付けられ得る。プロセッサ９３０および９７０はまた、それぞれ、アップリンクとダウンリンクとに関して周波数推定値とインパルス応答推定値とを導き出すために計算を実行することができる。
【００６６】
図１０を参照すると、関連するシーケンス番号にかかわらず、ＰＤＵを上位通信レイヤに通信することを可能にするシステム１０００が示されている。たとえば、システム１０００は、少なくとも部分的に基地局、モバイルデバイスなどの内部に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１０００は、連携して動作することができる電気構成要素の論理グルーピング１００２を含む。たとえば、論理グルーピング１００２は、無線通信レイヤにおいてＳＤＵを受信するための電気構成要素１００４を含むことができる。たとえば、説明したように、無線通信レイヤはＲＬＣまたは同様のレイヤであり得、ＳＤＵは１つまたは複数のデバイスからの信号中で受信され得る。さらに、論理グルーピング１００２は、ＳＤＵに少なくとも部分的に基づいて上位通信レイヤのためのＰＤＵを生成するための電気構成要素１００６を含むことができる。説明したように、これは、ＰＤＵに関係するシーケンス番号および／または追加のパラメータを含むことができるヘッダをＳＤＵに関連付けることを含むことができる。
【００６７】
さらに、論理グルーピング１００２は、ＳＤＵ中のシーケンス番号にかかわらず、ＰＤＵを上位通信レイヤに配信するための電気構成要素１００８を含むことができる。たとえば、これは、１つまたは複数の消失したＳＤＵによって引き起こされる潜在的なブロッキングを緩和するために、ＰＤＵが順が狂って配信され得るように、受信時にＰＤＵ中のＳＤＵを上位通信レイヤに配信することを含むことができる。さらに、論理グルーピング１００２は、ＳＤＵの再送信を可能にするためにＳＤＵを受信バッファに記憶するための電気構成要素１０１０を含むことができる。この点について、論理グルーピング１００２はまた、上位通信レイヤへのＰＤＵの配信に関係するステータスをＳＤＵ中で示すための電気構成要素１０１２を含むことができる。したがって、たとえば、ＰＤＵが正常に配信された場合、電気構成要素１００８は、ＰＤＵを再配信することを回避することができる。さらに、システム１０００は、電気構成要素１００４、１００６、１００８、１０１０、および１０１２に関連する機能を実行するための命令を保持するメモリ１０１４を含むことができる。メモリ１０１４の外部にあるものとして図示されているが、電気構成要素１００４、１００６、１００８、１０１０、および１０１２のうちの１つまたは複数はメモリ１０１４の内部に存在することができることを理解されたい。
【００６８】
図１１を参照すると、ＰＤＵを上位通信レイヤに通信することと、上位通信レイヤにおいてパケットの順序付けを処理することとを可能にするシステム１１００が示されている。たとえば、システム１１００は、少なくとも部分的に基地局、モバイルデバイスなどの内部に常駐することができる。システム１１００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１１００は、連携して動作することができる電気構成要素の論理グルーピング１１０２を含む。たとえば、論理グルーピング１１０２は、無線通信レイヤにおいてＳＤＵを受信するための電気構成要素１１０４を含むことができる。たとえば、説明したように、無線通信レイヤはＲＬＣまたは同様のレイヤであり得、ＳＤＵは１つまたは複数のデバイスからの信号中で受信され得る。さらに、論理グルーピング１１０２は、ＳＤＵに少なくとも部分的に基づいて上位通信レイヤのためのＰＤＵを生成するための電気構成要素１１０６を含むことができる。説明したように、これは、ＰＤＵに関係するシーケンス番号および／または追加のパラメータを含むことができるヘッダをＳＤＵに関連付けることを含むことができる。
【００６９】
さらに、論理グルーピング１１０２は、ＳＤＵ中のシーケンス番号にかかわらず、ＰＤＵを上位通信レイヤに配信するための電気構成要素１１０８を含むことができる。たとえば、これは、１つまたは複数の消失したＳＤＵによって引き起こされる潜在的なブロッキングを緩和するために、ＰＤＵがばらばらの順序で配信されるように、受信時にＰＤＵ中のＳＤＵを上位通信レイヤに配信することを含むことができる。さらに、論理グルーピング１１０２は、ＰＤＵに少なくとも部分的に基づいてパケットを生成するための電気構成要素１１１０を含むことができる。この例では、電気構成要素１１１０は、パケットに関係する連続するシーケンス番号をもつＰＤＵからパケットを生成することができる。したがって、パケットのためのＰＤＵがまだ受信されていない場合、電気構成要素１１１０は、パケットを生成することを差し控えることができる。
【００７０】
さらに、論理グルーピング１１０２は、パケットを異種上位レイヤに配信するための電気構成要素１１１２を含むことができる。これは、たとえば、アプリケーションレイヤなどであり得る。また、論理グルーピング１１０２は、同様のパケットに対応する異種ＰＤＵが受信されるまで、ＰＤＵを並べ替えバッファに記憶するための電気構成要素１１１４を備えることができる。したがって、説明したように、パケット順序付けは、ＰＤＣＰレイヤであり得る上位通信レイヤにおいて処理される。さらに、システム１１００は、電気構成要素１１０４、１１０６、１１０８、１１１０、１１１２、および１１１４に関連する機能を実行するための命令を保持するメモリ１１１６を含むことができる。メモリ１１１６の外部にあるものとして示されているが、電気構成要素１１０４、１１０６、１１０８、１１１０、１１１２、および１１１４のうちの１つまたは複数はメモリ１１１６の内部に存在することができることを理解されたい。
【００７１】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサとすることができるが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションの１つまたは複数を実行するように動作可能な１つまたは複数のモジュールを備え得る。
【００７２】
さらに、本明細書で開示された態様に関して説明した方法またはアルゴリズムのステップおよび／またはアクションは、直接ハードウェアで実施するか、プロセッサによって実行されるソフトウェアモジュールで実施するか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００７３】
１つまたは複数の態様では、説明した機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶され得るか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、どんな接続でもコンピュータ可読媒体と呼ばれることがある。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００７４】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、説明した態様および／または態様の要素が単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［付記］
［１］受信信号からサービスデータユニット（ＳＤＵ）を取得することと、
前記ＳＤＵに少なくとも部分的に基づいて上位通信レイヤに関係するプロトコルデータユニット（ＰＤＵ）を生成することと、
前記ＳＤＵ中のシーケンス番号にかかわらず、前記ＰＤＵを前記上位通信レイヤに配信することと、
を備える方法。
［２］前記ＳＤＵの後に、前記ＳＤＵ中の前記シーケンス番号よりも小さい異種シーケンス番号を含む異種ＳＤＵを受信することと、
前記ＰＤＵを前記上位通信レイヤに前記配信することの後に、異種ＰＤＵ中で前記異種ＳＤＵを前記上位通信レイヤに配信することと
をさらに備える、［１］に記載の方法。
［３］前記ＳＤＵの再送信を可能にするために前記ＳＤＵを受信バッファに記憶することをさらに備える、［１］に記載の方法。
［４］前記上位通信レイヤへの前記ＳＤＵの正常な配信を指定するインジケータを前記ＳＤＵ中で初期化することをさらに備える、［３］に記載の方法。
［５］前記ＳＤＵを前記ＰＤＵ中で前記上位通信レイヤに配信すべきかどうかを判断するために、ＳＤＵ並べ替えにおいて前記インジケータを使用することをさらに備える、［４］に記載の方法。
［６］前記ＰＤＵに少なくとも部分的に基づいてパケットを生成することと、
前記パケットを異種上位レイヤに配信することと
をさらに備える、［１］に記載の方法。
［７］前記ＰＤＵよりも小さいシーケンス番号を有する異種ＰＤＵに少なくとも部分的に基づいて異種パケットを生成することと、
前記パケットを前記異種上位レイヤに前記配信することの後に、前記異種パケットを前記異種上位レイヤに配信することと、
をさらに備える［６］に記載の方法。
［８］同様のパケットに対応する関係するＰＤＵが受信されるまで、前記ＰＤＵを並べ替えバッファに記憶すること、をさらに備える［１］に記載の方法。
［９］前記ＳＤＵは無線リンク制御レイヤにおいて抽出され、前記上位通信レイヤはパケットデータコンバージェンスプロトコルレイヤである、［１］に記載の方法。
［１０］受信信号に関係するサービスデータユニット（ＳＤＵ）を受信し、
前記ＳＤＵに少なくとも部分的に基づいて上位通信レイヤのためのプロトコルデータユニット（ＰＤＵ）を作成し、
前記ＳＤＵ中のシーケンス番号にかかわらず、前記ＰＤＵを前記上位通信レイヤに通信する、少なくとも１つのプロセッサと、
前記少なくとも１つのプロセッサに結合されたメモリと、
を備えるワイヤレス通信装置。
［１１］前記少なくとも１つのプロセッサは、さらに、
前記ＳＤＵを受信した後に、前記ＳＤＵ中の前記シーケンス番号よりも小さい異種シーケンス番号を備える異種ＳＤＵを取得し、
前記ＰＤＵを前記上位通信レイヤに通信した後に、異種ＰＤＵ中で前記異種ＳＤＵを前記上位通信レイヤに通信する、［１０］に記載のワイヤレス通信装置。
［１２］前記少なくとも１つのプロセッサは、さらに、前記ＳＤＵの再送信を可能にするために前記ＳＤＵを受信バッファに記憶する、［１０］に記載のワイヤレス通信装置。
［１３］前記少なくとも１つのプロセッサは、さらに、前記ＳＤＵが前記上位通信レイヤに正常に通信されたかどうかを指定するインジケータを前記ＳＤＵ中に設定する、［１２］に記載のワイヤレス通信装置。
［１４］前記少なくとも１つのプロセッサは、さらに、
前記ＰＤＵに少なくとも部分的に基づいてパケットを作成し、
前記パケットを異種上位レイヤに通信する、［１０］に記載のワイヤレス通信装置。
［１５］前記少なくとも１つのプロセッサは、さらに、
前記ＰＤＵよりも小さいシーケンス番号を有する異種ＰＤＵに少なくとも部分的に基づいて異種パケットを作成し、
前記パケットを前記異種上位レイヤに通信した後に、前記異種パケットを前記異種上位レイヤに通信する、［１４］に記載のワイヤレス通信装置。
［１６］前記少なくとも１つのプロセッサは、さらに、同様のパケットに関係する異種ＰＤＵが受信されるまで前記ＰＤＵを並べ替えバッファに記憶する、［１０］に記載のワイヤレス通信装置。
［１７］無線通信レイヤにおいてサービスデータユニット（ＳＤＵ）を受信する手段と、
前記ＳＤＵに少なくとも部分的に基づいて上位通信レイヤのためのプロトコルデータユニット（ＰＤＵ）を生成する手段と、
前記ＳＤＵ中のシーケンス番号にかかわらず、前記ＰＤＵを前記上位通信レイヤに配信する手段と、を備える装置。
［１８］前記ＳＤＵを受信する手段は、その後、前記ＳＤＵ中の前記シーケンス番号よりも小さい異種シーケンス番号を含む異種ＳＤＵを受信し、
前記ＰＤＵを配信する手段は、その後、前記異種ＳＤＵを備える異種ＰＤＵを前記上位通信レイヤに配信する、［１７］に記載の装置。
［１９］前記ＳＤＵの再送信を可能にするために前記ＳＤＵを受信バッファに記憶する手段をさらに備える［１７］に記載の装置。
［２０］前記上位通信レイヤへの前記ＰＤＵの配信に関係するステータスを前記ＳＤＵ中で示す手段をさらに備える［１９］に記載の装置。
［２１］前記ＰＤＵに少なくとも部分的に基づいてパケットを生成する手段と、
前記パケットを異種上位レイヤに配信する手段と、
をさらに備える［１７］に記載の装置。
［２２］前記パケットを生成する手段は、前記ＰＤＵよりも小さいシーケンス番号を有する異種ＰＤＵに少なくとも部分的に基づいて異種パケットを生成し、
前記パケットを配信する手段は、前記パケットを前記異種上位レイヤに配信した後に前記異種パケットを前記異種上位レイヤに配信する、［２１］に記載の装置。
［２３］同様のパケットに対応する異種ＰＤＵが受信されるまで前記ＰＤＵを並べ替えバッファに記憶する手段をさらに備える、［１７］に記載の装置。
［２４］少なくとも１つのコンピュータに、受信信号に関係するサービスデータユニット（ＳＤＵ）を受信させるコードと、
前記少なくとも１つのコンピュータに、前記ＳＤＵに少なくとも部分的に基づいて上位通信レイヤのためのプロトコルデータユニット（ＰＤＵ）を作成させるコードと、
前記少なくとも１つのコンピュータに、前記ＳＤＵ中のシーケンス番号にかかわらず、前記ＰＤＵを前記上位通信レイヤに通信させるコードと、
を備えるコンピュータ可読媒体を備えるコンピュータプログラム製品。
［２５］前記コンピュータ可読媒体は、さらに、
前記少なくとも１つのコンピュータに、前記ＳＤＵを受信した後に、前記ＳＤＵ中の前記シーケンス番号よりも小さい異種シーケンス番号を備える異種ＳＤＵを取得させるコードと、
前記少なくとも１つのコンピュータに、前記ＰＤＵを前記上位通信レイヤに通信した後、異種ＰＤＵ中で前記異種ＳＤＵを前記上位通信レイヤに通信させるコードと、を備える［２４］に記載のコンピュータプログラム製品。
［２６］前記コンピュータ可読媒体は、さらに、前記少なくとも１つのコンピュータに、前記ＳＤＵの再送信を可能にするために前記ＳＤＵを受信バッファ中に記憶させるコードを備える［２４］に記載のコンピュータプログラム製品。
［２７］前記コンピュータ可読媒体は、さらに、前記少なくとも１つのコンピュータに、前記ＳＤＵが前記上位通信レイヤに正常に通信されたかどうかを指定するインジケータを前記ＳＤＵ中に設定させるコードを備える［２６］に記載のコンピュータプログラム製品。
［２８］前記コンピュータ可読媒体は、さらに、
前記少なくとも１つのコンピュータに、前記ＰＤＵに少なくとも部分的に基づいてパケットを作成させるコードと、
前記少なくとも１つのコンピュータに、前記パケットを異種上位レイヤに通信させるコードと、
を備える［２４］に記載のコンピュータプログラム製品。
［２９］前記コンピュータ可読媒体は、さらに、
前記少なくとも１つのコンピュータに、前記ＰＤＵよりも小さいシーケンス番号を有する異種ＰＤＵに少なくとも部分的に基づいて異種パケットを作成させるコードと、
前記少なくとも１つのコンピュータに、前記パケットを前記異種上位レイヤに通信した後に、前記異種パケットを前記異種上位レイヤに通信させるコードと、
を備える［２８］に記載のコンピュータプログラム製品。
［３０］前記コンピュータ可読媒体は、さらに、前記少なくとも１つのコンピュータに、同様のパケットに関係する異種ＰＤＵが受信されるまで前記ＰＤＵを並べ替えバッファに記憶させるコードをさらに備える［２４］に記載のコンピュータプログラム製品。
［３１］無線通信レイヤにおいてサービスデータユニット（ＳＤＵ）を取得する受信構成要素と、
前記ＳＤＵに少なくとも部分的に基づいて上位通信レイヤのためのプロトコルデータユニット（ＰＤＵ）を作成するＰＤＵ生成構成要素と、
前記ＳＤＵ中のシーケンス番号にかかわらず、前記ＰＤＵを前記上位通信レイヤに通信する配信構成要素と、を備える装置。
［３２］前記受信構成要素は、その後、前記ＳＤＵ中の前記シーケンス番号よりも小さい異種シーケンス番号を含む異種ＳＤＵを取得し、
前記配信構成要素は、その後、前記異種ＳＤＵを備える異種ＰＤＵを前記上位通信レイヤに通信する、［３１］に記載の装置。
［３３］前記ＳＤＵの再送信を可能にするために前記ＳＤＵを記憶するバッファリング構成要素をさらに備える、［３１］に記載の装置。
［３４］前記ＰＤＵを前記上位通信レイヤに通信する前記配信構成要素に関係するステータスを前記ＳＤＵ中に指定する配信指示構成要素をさらに備える、［３３］に記載の装置。
［３５］前記ＰＤＵに少なくとも部分的に基づいてパケットを作成するパケット生成構成要素と、
前記パケットを異種上位レイヤに通信する、前記上位通信レイヤにある異種配信構成要素と、
をさらに備える［３１］に記載の装置。
［３６］前記パケット生成構成要素は、前記ＰＤＵよりも小さいシーケンス番号を有する異種ＰＤＵに少なくとも部分的に基づいて異種パケットを作成し、
前記異種配信構成要素は、前記パケットを前記異種上位レイヤに配信した後に前記異種パケットを前記異種上位レイヤに通信する、
［３５］に記載の装置。
［３７］同様のパケットに対応する異種ＰＤＵが受信されるまで前記ＰＤＵを記憶する並べ替えバッファ構成要素をさらに備える、［３１］に記載の装置。
【図１】
0005323985.tif 000002
【図２】
0005323985.tif 000003
【図３】
0005323985.tif 000004
【図４】
0005323985.tif 000005
【図５】
0005323985.tif 000006
【図６】
0005323985.tif 000007
【図７】
0005323985.tif 000008
【図８】
0005323985.tif 000009
【図９】
0005323985.tif 000010
【図１０】
0005323985.tif 000011
【図１１】
0005323985.tif 000012